(57)【特許請求の範囲】
【請求項１】
正極及び負極からなる一対の電極端子を含む複数の単電池同士が並べられてなる単電池群に取り付けられる電池配線モジュールであって、前記単電池群に複数個所ある対極同士の前記電極端子間にそれぞれ電気的に接続するように架け渡されると共に、互いに並んで配線パターンをなす複数のバスバーと、前記配線パターンをなす複数の前記バスバーが、各々の端部を前記電極端子上に重ね合わせられるようにそれぞれ露出させた状態で保持されると共に前記バスバーの端部と前記電極端子との位置ずれに応じて伸縮変形可能な絶縁性の容器状の樹脂プロテクタと、を有する電池配線モジュールと、
前記樹脂プロテクタの容器状の口を覆う板状のカバーと、
前記カバーを前記樹脂プロテクタに取り付けると共に、前記樹脂プロテクタの変形に応じて前記カバーの取付位置を調整する第１調整手段と、を備え、
前記第１調整手段が、前記樹脂プロテクタ又は前記カバーの周端縁から外側に向かうように設けられる突起状の係止部と、この係止部と異なる部材に形成されるように前記樹脂プロテクタ又は前記カバーの周端縁に設けられ、開口部を囲む枠状の被係止部であって、前記開口部に前記係止部を挿入させつつ前記係止部に引っ掛けられると共に、前記係止部と係合した状態で前記樹脂プロテクタの変形に応じて前記係止部に対して移動可能な被係止部と、を有するカバー付き電池配線モジュール。
【請求項２】
前記被係止部は、２つの縦枠部と、前記縦枠部の間で挟まれ、前記縦枠部と共に前記開口部を囲む横枠部とを有し、
前記係止部は、前記開口部に挿入された状態で前記縦枠部との間に隙間が形成され、かつ前記横枠部から外側に向かってはみ出すように、前記横枠部と係合する請求項１に記載のカバー付き電池配線モジュール。
【請求項３】
前記カバーは、複数のサブカバーと、隣り合った前記サブカバー同士を接続すると共に前記樹脂プロテクタの変形に応じて前記サブカバー同士の取付位置を調整する第２調整手段と、を有し、
前記第２調整手段が、隣り合った前記サブカバー同士のうち一方の前記サブカバーに設けられる突起状の係合部と、前記サブカバー同士のうち他方の前記サブカバーに設けられる被係合部であって、前記係合部が挿入されると共に前記樹脂プロテクタの変形に応じて前記係合部が移動可能な大きさの被係合孔と、この被係合孔の周りを囲むと共に前記係合部に対して外側から係合可能な被係合枠とを含む被係合部と、を有する請求項１又は請求項２に記載のカバー付き電池配線モジュール。
【請求項４】
前記第１調整手段の変位方向と、前記第２調整手段の変位方向とが直交する請求項３に記載のカバー付き電池配線モジュール。
【請求項５】
前記カバーと前記樹脂プロテクタとの間に、前記カバーの取付位置を規制する規制手段を備える請求項１ないし請求項４のいずれか一項に記載のカバー付き電池配線モジュール。
【請求項６】
前記樹脂プロテクタは、複数の前記バスバーをそれぞれ収容する複数のバスバー収容部を含む請求項１ないし請求項５のいずれか一項に記載のカバー付き電池配線モジュール。
【請求項７】
前記バスバー収容部は、前記バスバーの長手方向に沿って伸縮可能である請求項６に記載のカバー付き電池配線モジュール。
【請求項８】
前記配線パターンは、一の方向に沿って並ぶ第１パターンと、前記一の方向と垂直な方向に沿って並ぶ第２パターンとからなる請求項１ないし請求項７のいずれか一項に記載のカバー付き電池配線モジュール。
【請求項９】
前記サブカバー同士が、同じ形状である請求項３ないし請求項８のいずれか一項に記載のカバー付き電池配線モジュール。
【発明の詳細な説明】
【技術分野】
【０００１】
本発明は、カバー付き電池配線モジュールに関する。
【背景技術】
【０００２】
電気自動車やハイブリッド車等における車両用の電池モジュールは、複数個の単電池が並べられた単電池群を備えている。単電池群を構成する各単電池は、それぞれ正極側の電極端子と、負極側の電極端子とを有している。
【０００３】
単電池群において、隣り合った単電池同士が有する対極同士の電極端子間は、金属製のバスバーによって電気的に接続されている。バスバーは、単電池群に複数個所ある前記電極端子間にそれぞれ取り付けられる。このようにバスバーを利用して、単電池群を構成する各単電池は、互いに電気的に直列接続されている。
【０００４】
前記バスバーを、単電池群の各電極端子間にそれぞれ一個ずつ取り付けると、取付作業に時間がかかってしまう。そのため、特許文献１等に示されるように、複数本のバスバーを、単電池群の各電極端子間に纏めて位置決めできる電池配線モジュールが利用されている。この種の電池配線モジュールは、複数本のバスバーが樹脂等からなる絶縁性の基材で保持されたものからなり、単電池群上に載せられた状態で固定される。
【０００５】
ところで、電極端子の取付誤差等によって、電極端子の位置とバスバーの位置とが互いにずれてしまい、バスバーを電極端子に取り付けることができず、問題となることがある。
【０００６】
このような位置ずれが生じた場合に、前記バスバーの位置を調整できる調整手段を備えた電池配線モジュールが知られている（特許文献２参照）。前記調整手段は、前記バスバーを保持する基材に設けられているため、前記調整手段によって前記バスバーの位置が調整されると、前記基材全体の形（つまり、電池配線モジュール全体の形）が伸縮等して変化することになる。
【０００７】
なお、電池配線モジュールには、前記バスバー等を覆うためのカバーが取り付けられる。
【先行技術文献】
【特許文献】
【０００８】
【特許文献１】特開２０１１−８９５７号公報
【特許文献２】特開２０００−１４９９０９号公報
【発明の概要】
【発明が解決しようとする課題】
【０００９】
上述したような電池配線モジュールは、単電池群における各電極端子の取付誤差等に応じて、形状（形）が適宜、変わる。そのため、このような形状が変わり得る電池配線モジュールに、カバーを確実に取り付けられる技術が望まれている。
【００１０】
本発明の目的は、単電池群に取り付けられた際に形が変わり得る電池配線モジュールに、カバーを確実に取り付ける技術を提供することである。
【課題を解決するための手段】
【００１１】
本発明に係るカバー付き電池配線モジュールは、正極及び負極からなる一対の電極端子を含む複数の単電池同士が並べられてなる単電池群に取り付けられる電池配線モジュールであって、前記単電池群に複数個所ある対極同士の前記電極端子間にそれぞれ電気的に接続するように架け渡されると共に、互いに並んで配線パターンをなす複数のバスバーと、前記配線パターンをなす複数の前記バスバーが、各々の端部を前記電極端子上に重ね合わせられるようにそれぞれ露出させた状態で保持されると共に前記バスバーの端部と前記電極端子との位置ずれに応じて伸縮変形可能な絶縁性の容器状の樹脂プロテクタと、を有する電池配線モジュールと、前記樹脂プロテクタの容器状の口を覆う板状のカバーと、前記カバーを前記樹脂プロテクタに取り付けると共に、前記樹脂プロテクタの変形に応じて前記カバーの取付位置を調整する第１調整手段と、を備える。
【００１２】
前記カバー付き電池配線モジュールにおいて、前記第１調整手段が、前記樹脂プロテクタ又は前記カバーに設けられる突起状の係止部と、前記樹脂プロテクタ又は前記カバーに設けられる枠状の被係止部であって、前記係止部に引っ掛けられると共に、前記係止部と係合した状態で前記樹脂プロテクタの変形に応じて前記係止部に対して移動可能な被係止部と、を有してもよい。
【００１３】
前記カバー付き電池配線モジュールにおいて、前記カバーは、複数のサブカバーと、隣り合った前記サブカバー同士を接続すると共に前記樹脂プロテクタの変形に応じて前記サブカバー同士の取付位置を調整する第２調整手段と、を有してもよい。
【００１４】
前記カバー付き電池配線モジュールにおいて、前記第２調整手段が、隣り合った前記サブカバー同士のうち一方の前記サブカバーに設けられる突起状の係合部と、前記サブカバー同士のうち他方の前記サブカバーに設けられる被係合部であって、前記係合部が挿入されると共に前記樹脂プロテクタの変形に応じて前記係合部が移動可能な大きさの被係合孔と、この被係合孔の周りを囲むと共に前記係合部に対して外側から係合可能な被係合枠とを含む被係合部と、を有してもよい。
【００１５】
前記カバー付き電池配線モジュールにおいて、前記第１調整手段の変位方向と、前記第２調整手段の変位方向とが直交してもよい。
【００１６】
前記カバー付き電池配線モジュールにおいて、前記カバーと前記樹脂プロテクタとの間に、前記カバーの取付位置を規制する規制手段を備えてもよい。
【００１７】
前記カバー付き電池配線モジュールにおいて、前記樹脂プロテクタは、複数の前記バスバーをそれぞれ収容する複数のバスバー収容部を含んでもよい。
【００１８】
前記カバー付き電池配線モジュールにおいて、前記バスバー収容部は、前記バスバーの長手方向に沿って伸縮可能であってもよい。
【００１９】
前記カバー付き電池配線モジュールにおいて、前記配線パターンは、一の方向に沿って並ぶ第１パターンと、前記一の方向と垂直な方向に沿って並ぶ第２パターンとからなってもよい。
【００２０】
前記カバー付き電池配線モジュールにおいて、前記サブカバー同士が、同じ形状であってもよい。
【発明の効果】
【００２１】
本発明によれば、単電池群に取り付けられた際に形が変わり得る電池配線モジュールに、カバーを確実に取り付ける技術を提供できる。
【図面の簡単な説明】
【００２２】
【図１】実施形態１に係る電池モジュールの平面図
【図２】電池モジュールの正面図
【図３】カバーが取り外された状態の電池モジュールの平面図
【図４】単電池群の平面図
【図５】電池配線モジュールの平面図
【図６】第１バスバーの平面図
【図７】第２バスバーの平面図
【図８】樹脂プロテクタを構成する各連結ユニットの平面図
【図９】電池モジュールの側面図
【図１０】第１調整手段の拡大図
【図１１】図１０のＡ−Ａ’線における第１調整手段の拡大断面図
【図１２】実施形態２に係る電池モジュールの平面図
【図１３】電池モジュールの正面図
【図１４】サブカバーの平面図
【図１５】図１２のＢ−Ｂ’線における第２調整手段の拡大断面図
【図１６】図１２のＣ−Ｃ’線における第２調整手段の拡大断面図
【図１７】実施形態３に係る電池モジュールの平面図
【図１８】図１７のＤ−Ｄ’線における第２調整手段の拡大断面図
【発明を実施するための形態】
【００２３】
＜実施形態１＞
以下、本発明の実施形態１を、図１ないし図１０を参照しつつ説明する。図１は、実施形態１に係る電池モジュールの平面図であり、図２は、電池モジュールの正面図である。また、図３は、カバー４が取り外された状態の電池モジュール１の平面図である。図１及び図２に示される電池モジュール１は、電気自動車やハイブリッド車等の車両用の駆動源として利用される。電池モジュール１は、主として、単電池群２と、この単電池群２に取り付けられる電池配線モジュール３と、この電池配線モジュール３に取り付けられるカバー４とを備える。なお、図１における下側が、電池モジュール１の前側（正面側）に対応し、図１における上側が、電池モジュール１の後側（背面側）に対応する。また、図１における左側に、電池モジュール１の左側面が配され、図１における右側に、電池モジュール１の右側面が配されている。
【００２４】
図４は、単電池群２の平面図である。図４に示されるように、単電池群２は、複数個の単電池２１から構成される。単電池群２は、複数個の単電池２１が、互いに積み重なるように並べられたものからなる。図４等に示されるように、本実施形態の電池モジュール１では、２つの単電池群２（２Ａ，２Ｂ）が利用される。なお、必要に応じて、図４等の左側に示されるものを第１単電池群２Ａと称し、右側に示されるものを第２単電池群２Ｂと称する。
【００２５】
第１単電池群２Ａ及び第２単電池群２Ｂは、共に４個の単電池２１が並べられたものからなる。第１単電池群２Ａ及び第２単電池群２Ｂは、互いに所定の間隔を置いて図４の左右方向に並べられている。単電池群２を構成している各単電池２１は、それぞれ内部に発電要素（不図示）を備えている。単電池２１は、前記発電要素を内部に含む扁平な直方体状の本体部２１ａと、この本体部２１ａの上面に設けられる２つの電極端子２２（２２Ａ，２２Ｂ）とを備えている。一方の電極端子２２Ａが正極であり、他方の電極端子２２Ｂが負極である。
【００２６】
各電極端子２２Ａ，２２Ｂは、単電池２１の上面において、それぞれ上方に向けて垂直に突出した形をなしている。電極端子２２（２２Ａ，２２Ｂ）は、角筒状のナットからなり、その中心に円形のネジ孔２３が貫通形成されている。
【００２７】
第１単電池群２Ａを構成する各単電池２１は、各々の電極端子２２（２２Ａ，２２Ｂ）が同じ方向（上方）を向くように並べられている。そして、第１単電池群２Ａの各単電池２１は、隣り合った単電池２１同士において、隣接する電極端子２２同士が互いに対極同士となるように並べられている。つまり各単電池２１の積層方向（単電池群２の前後方向）において、各電極端子２２が正負交互に並んでいる。
【００２８】
第２単電池群２Ｂを構成する各単電池２１も、各々の電極端子２２（２２Ａ，２２Ｂ）が同じ方向（上方）を向くように並べられている。そして、第２単電池群２Ｂの各単電池２１は、隣り合った単電池２１同士において隣接する電極端子２２同士が、互いに対極同士となるように並べられている。つまり各単電池２１の積層方向（単電池群２の前後方向）において、各電極端子２２が正負交互に並んでいる。
【００２９】
また、第１単電池群２Ａの各単電池２１と第２単電池群２Ｂの各単電池２１との間においても、異なった単電池群２Ａ，２Ｂ間で隣り合った単電池２１同士において隣接する電極端子２２同士が、互いに対極同士となっている。なお、第１単電池群２Ａ及び第２単電池群２Ｂの各電極端子２２（２２Ａ，２２Ｂ）は、同一平面上に配されている。第１単電池群２Ａ及び第２単電池群２Ｂは、各単電池２１の下面側に配されている保持板（不図示）上に載置された状態で、それぞれ固定されている。
【００３０】
図５は、電池配線モジュール３の平面図である。電池配線モジュール３は、第１単電池群２Ａ及び第２単電池群２Ｂの各上面上に載せられる形で、単電池群２に取り付けられる。つまり、単電池群２は、電池配線モジュール３によって接続されている。このような電池配線モジュール３は、主として、複数本のバスバー３１と、これらのバスバー３１を収容する容器状の樹脂プロテクタ３２とを備えている。
【００３１】
バスバー３１は、銅、銅合金、ステンレス鋼（ＳＵＳ）、アルミニウム等の金属材料を所定形状に加工したものからなる。バスバー３１は、概ね長尺状（帯状）をなしている。本実施形態の場合、バスバー３１として、長さが異なる２種類のものが利用される。これらのうち、長い方を第１バスバー３１Ａと称し、短い方を第２バスバー３１Ｂと称する。図６は、第１バスバー３１Ａの平面図である。図６に示されるように、第１バスバー３１Ａは、長手状の本体部１３１（１３１Ａ）と、この本体部１３１（１３１Ａ）の長手方向における両端部にそれぞれ設けられる固定用ボルトの軸部が挿通される通し孔３８と、本体部１３１（１３１Ａ）の各端部にそれぞれ通し孔３８を挟むように設けられる切り欠き部３９とを備えている。
【００３２】
図７は、第２バスバー３１Ｂの平面図である。図７に示されるように、第２バスバー３１Ｂは、第１バスバー３１Ａよりも長さが短いものの、その基本的な構成は、第１バスバー３１Ａと同じである。具体的には、第２バスバー３１Ｂは、長手状の本体部１３１（１３１Ｂ）と、この本体部１３１（１３１Ｂ）の長手方向における両端部にそれぞれ設けられる固定用ボルトの軸部が挿通される通し孔３８と、本体部１３１（１３１Ｂ）の各端部にそれぞれ通し孔３８を挟むように設けられる切り欠き部３９とを備えている。
【００３３】
各バスバー３１は、単電池群２に複数個所ある対極同士の電極端子２２Ａ，２２Ｂ間に、それぞれ電気的に接続するように架け渡される。そして、各バスバー３１によって、単電池群２を構成する各単電池２１が、互いに直列接続される。第１バスバー３１Ａは、第１単電池群２Ａと第２単電池群２Ｂとの間において、隣り合った単電池２１同士が有する対極同士の電極端子２２Ａ，２２Ｂ間を、電気的に接続するために利用される。これに対して、第２バスバー３１Ｂは、第１単電池群２Ａ及び第２単電池群２Ｂのそれぞれにおいて、積層方向（前後方向）で隣り合った単電池２１同士が有する対極同士の電極端子２２Ａ，２２Ｂ間を、電気的に接続するために利用される。なお各バスバー３１は、樹脂プロテクタ３２に保持された状態で、利用される（図３及び図５参照）。
【００３４】
バスバー３１の端部は、電極端子２２上に重ね合わせられた状態で、電極端子２２に固定される。その際、バスバー３１の端部にある通し孔３８の位置と、電極端子２２が有するネジ孔２３の位置とが合せられる。そして、バスバー３１の通し孔３８及び電極端子２２のネジ孔２３に、それぞれ固定用ボルト（不図示）の軸部が挿入され、バスバー３１及び電極端子２２が互いに密着するように前記固定用ボルトがネジ孔２３に螺着される。
【００３５】
なお、バスバー３１に設けられている通し孔３８の形状は、上面から見て、所謂、長穴状となっており、電極端子２２のネジ孔２３よりも大きく設定されている。そして、通し孔３８はバスバー３１の長手方向に拡がった形をなしている。バスバー３１は、このような長穴状の通し孔３８を備えているため、電極端子２２の位置が、本来あるべき位置からずれてしまっても、固定用ボルトを挿入できるように、その電極端子２２のネジ孔２３に、バスバー３１の通し孔３８を位置合わせできる。なお、このような電極端子２２の位置ずれは、例えば、単電池２１における電極端子２２の取付誤差、単電池２１の膨張等による変形、第１単電池群２Ａ及び第２単電池群２Ｂにおける配置間隔の誤差等によって生じる。
【００３６】
全体として容器状をなす樹脂プロテクタ３２の内側において、複数本のバスバー３１は、所定の配線パターンＰを形成している（図５参照）。この配線パターンＰは、複数本のバスバー３１が、樹脂プロテクタ３２内の所定位置にそれぞれ配されることによって形成される。配線パターンＰをなす各バスバー３１は、互いに平面状に並んでいる。また、複数本のバスバー３１のうち第１バスバー３１Ａは第１パターンＰ１をなし、第２バスバー３１Ｂは第２パターンＰ２をなしている。本実施形態の場合、第１パターンＰ１は、一個所でまとまっているが、第２パターンＰ２は、二個所に分かれている。
【００３７】
第１パターンＰ１をなす各第１バスバー３１Ａは、図５の左右方向に沿って配されている。これに対して、第２パターンＰ２をなす各第２バスバー３１Ｂは、図５の上下方向に沿って配されている。つまり、第１パターンＰ１をなす各第１バスバー３１Ａと、第２パターンＰ２をなす各第２バスバー３１Ｂとは、互いに垂直な方向に沿って、それぞれ配されている。なお、図３に示されるように、電池配線モジュール３が単電池群２に取り付けられた際に、第１パターンＰ１をなす各第１バスバー３１Ａは、第１単電池群２Ａ及び第２単電池群２Ｂの並び方向に沿って配される。これに対して、第２パターンＰ２をなす各第２バスバー３１Ｂは、電池配線モジュール３が単電池群２に取り付けられた際に、第１単電池群２Ａ及び第２単電池群２Ｂの各積層方向に沿って配される。
【００３８】
樹脂プロテクタ３２は、絶縁性を有する合成樹脂材料を、所定形状に加工したものからなる。図８は、樹脂プロテクタ３２を構成する各連結ユニット３２Ａ，３２Ｂ，３２Ｃ，３２Ｄの平面図である。本実施形態の樹脂プロテクタ３２は、図８に示される４つの連結ユニット３２Ａ，３２Ｂ，３２Ｃ，３２Ｄが、互いに組み合せられたものからなる。
【００３９】
連結ユニット３２Ａは、連結ユニット３２Ｂと組み合せられる。そして、これらの連結ユニット３２Ａ，３２Ｂによって、第１バスバー３１Ａを収容するバスバー収容部３３（３３Ａ）が２つ形成される。バスバー収容部３３（３３Ａ）は、図８の左右方向に沿って延びた小型の容器状をなしており、その内側で第１バスバー３１Ａを保持する。また、バスバー収容部３３（３３Ａ）は、第１バスバー３１Ａの長手方向に沿って伸縮可能に構成されている。
【００４０】
バスバー収容部３３（３３Ａ）は、第１バスバー３１Ａが載せられる長手状の底板部と、この底板部の周りを囲む角筒状の周壁部とを備えている。前記底板部及び前記周壁部は、それぞれ連結ユニット３２Ａ側と、連結ユニット３２Ｂ側とに分かれている。前記底板部における長手方向の両端には、それぞれ開口部３４が設けられている。この開口部３４は、第１バスバー３１Ａの端部を、電極端子２２と接触できるようにバスバー収容部３３（３３Ａ）から露出させている。
【００４１】
前記周壁部の内面側には、第１バスバー３１Ａがその厚み方向に浮き上がるのを規制する規制突起３６が複数個設けられている。この規制突起３６は、前記周壁部の内面から突出した形状をなしており、第１バスバー３１Ａをその上面側から底板部側に向かって押さえている。また、前記周壁部の内面側には、第１バスバー３１Ａの各切り欠き部３９とそれぞれ係合する係合突起３７が複数個設けられている。図５に示されるように、係合突起３７は、前記周壁部の内面から突出した形状をなすと共に、第１バスバー３１Ａの長手方向に沿って延びた形状をなしている。また、係合突起３７は、切り欠き部３９よりも小さく設定されており、そして、係合突起３７の前記長手方向における両端部分と切り欠き部３９との間に、予め隙間が設けられている。
【００４２】
バスバー収容部３３（３３Ａ）の連結ユニット３２Ａ側は、その係合突起３７が切り欠き部３９内を移動できる範囲内において、第１バスバー３１Ａの長手方向に沿って左右方向に移動することができる。同様に、バスバー収容部３３（３３Ａ）の連結ユニット３２Ｂ側も、その係合突起３７が切り欠き部３９内を移動できる範囲内において、第１バスバー３１Ａの長手方向に沿って左右方向に移動することができる。このようにして、バスバー収容部３３（３３Ａ）は、第１バスバー３１Ａの長手方向に沿って伸縮可能（所謂、スライド可能）となっている。
【００４３】
また、連結ユニット３２Ｃは、連結ユニット３２Ｄと組み合せられる。そして、これらの連結ユニット３２Ｃ，３２Ｄによって、第１バスバー３１Ａを収容するバスバー収容部３３（３３Ａ）が２つ形成される。これらの連結ユニット３２Ｃ，３２Ｄによって形成されるバスバー収容部３３（３３Ａ）の基本的な構成は、上述した２つの連結ユニット３２Ａ，３２Ｂによって形成されるバスバー収容部３３（３３Ａ）と同様である。これらの連結ユニット３２Ｃ，３２Ｄによって形成されるバスバー収容部３３（３３Ａ）も、第１バスバー３１Ａの長手方向に沿って伸縮可能（所謂、スライド可能）となっている。
【００４４】
また、上述した連結ユニット３２Ａは、連結ユニット３２Ｃとも組み合せられる。そして、これらの連結ユニット３２Ａ，３２Ｃによって、第２バスバー３１Ｂを収容するバスバー収容部３３（３３Ｂ）が１つ形成される。バスバー収容部３３（３３Ｂ）は、図８（図５）の上下方向に沿って延びた小型の容器状をなしており、その内側で第２バスバー３１Ａを保持する。また、バスバー収容部３３（３３Ｂ）は、第２バスバー３１Ｂの長手方向に沿って伸縮可能に構成されている。
【００４５】
バスバー収容部３３（３３Ｂ）は、第２バスバー３１Ｂが載せられる長手状の底板部と、この底板部の周りを囲む角筒状の周壁部とを備えている。前記底板部及び前記周壁部は、それぞれ連結ユニット３２Ａ側と、連結ユニット３２Ｃ側とに分かれている。前記底板部における長手方向の両端には、それぞれ開口部３４が設けられている。この開口部３４は、第２バスバー３１Ｂの端部を、電極端子２２と接触できるようにバスバー収容部３３（３３Ｂ）から露出させている。
【００４６】
前記周壁部の内面側には、第２バスバー３１Ｂがその厚み方向に浮き上がるのを規制する規制突起３６が複数個設けられている。この規制突起３６は、前記周壁部の内面から突出した形状をなしており、第２バスバー３１Ｂをその上面側から底板部側に向かって押さえている。また、前記周壁部の内面側には、第２バスバー３１Ｂの各切り欠き部３９とそれぞれ係合する係合突起３７が複数個設けられている。図５に示されるように、係合突起３７は、前記周壁部の内面から突出した形状をなすと共に、第２バスバー３１Ｂの長手方向に沿って延びた形状をなしている。また、係合突起３７は、切り欠き部３９よりも小さく設定されており、そして、係合突起３７の前記長手方向における両端部分と切り欠き部３９との間に、予め隙間が設けられている。
【００４７】
バスバー収容部３３（３３Ｂ）の連結ユニット３２Ａ側は、その係合突起３７が切り欠き部３９内を移動できる範囲内において、第２バスバー３１Ｂの長手方向に沿って図８（図５）の上下方向に移動することができる。同様に、バスバー収容部３３（３３Ｂ）の連結ユニット３２Ｃ側も、その係合突起３７が切り欠き部３９内を移動できる範囲内において、第２バスバー３１Ｂの長手方向に沿って図８（図５）の上下方向に移動することができる。このようにして、バスバー収容部３３（３３Ｂ）は、第２バスバー３１Ｂの長手方向に沿って伸縮可能（所謂、スライド可能）となっている。
【００４８】
また、連結ユニット３２Ｂは、連結ユニット３２Ｄとも組み合せられる。そして、これらの連結ユニット３２Ｂ，３２Ｄによって、第２バスバー３１Ｂを収容するバスバー収容部３３（３３Ｂ）が１つ形成される。これらの連結ユニット３２Ｂ，３２Ｄによって形成されるバスバー収容部３３（３３Ｂ）の基本的な構成は、上述した連結ユニット３２Ａ，３２Ｃによって形成されるバスバー収容部３３（３３Ｂ）と同様である。これらの連結ユニット３２Ｂ，３２Ｄによって形成されるバスバー収容部３３（３３Ｂ）も、第２バスバー３１Ｂの長手方向に沿って伸縮可能（所謂、スライド可能）となっている。
【００４９】
なお、連結ユニット３２Ｃには、第２バスバー３１Ｂを収容するバスバー収容部３３（３３Ｃ）が設けられている。このバスバー収容部３３（３３Ｃ）は、第２バスバー３１Ｂの長手方向に沿って伸縮しないものの、バスバー収容部３３（３３Ｂ）と同様、底板部と、この底板部を取り囲む周壁部とを備えている。また、バスバー収容部３３（３３Ｃ）は、バスバー収容部３３（３３Ｂ）と同様、開口部３４、係合突起３７等を備えている。
【００５０】
また、連結ユニット３２Ｂと連結ユニット３２Ｄとには、それぞれ開口部３５が設けられている。これらの開口部３５からは、電池配線モジュール３が単電池群２に載せられた際に、直列接続された各単電池２１の端部に位置する電極端子２２がそれぞれ露出される。連結ユニット３２Ｂの開口部３５からは、第２単電池群２Ｂの最も後方（図３及び図４の最も上側）にある単電池２１の電極端子２２（２２Ｂ）が露出される（図３参照）。これに対して、連結ユニット３２Ｄの開口部３５からは、第２単電池群２Ｂの最も前方（図３及び図４の最も下側）にある単電池２１の電極端子２２（２２Ａ）が露出される（図３参照）。なお、これらの開口部３５から露出した電極端子２２には、それぞれ外部接続端子（不図示）が接続される。そして、これらの外部接続端子には、外部のインバータ等に繋がる電線端末が接続される。
【００５１】
このような樹脂プロテクタ３２は、電極端子２２の取付誤差等によって生じるバスバー３１の端部と電極端子２２との位置ずれ等に応じて、左右方向（第１バスバー３１Ａの長手方向）及び前後方向（第２バスバー３１Ｂの長手方向）に、それぞれある程度、伸長し、又は収縮して、変形（伸縮変形）することができる。
【００５２】
また、樹脂プロテクタ３２は、全体的に見て、１つの底板３０１と、この底板３０１を取り囲む扁平な角筒状の周壁３０２とを備えているとも言える。前記底板３０１は、上面から見て概ね矩形状であり、各連結ユニット３２Ａ，３２Ｂ，３２Ｃ，３２Ｄが備える各バスバー収容部３３の底板部と、それ以外の、各連結ユニット３２Ａ，３２Ｂ，３２Ｃ，３２Ｄの底状の部分とから構成されている。前記周壁３０２は、上面から見て概ね矩形状であり、各連結ユニット３２Ａ，３２Ｂ，３２Ｃ，３２Ｄにおいて外側に配されているバスバー収容部３３の周壁部と、それ以外の各連結ユニット３２Ａ，３２Ｂ，３２Ｃ，３２Ｄの壁状の部分とから構成されている。なお、周壁３０２の高さは、電池配線モジュール３が単電池群２に取り付けられる際に、工具を不要にバスバー３１と接触させないこと等が考慮されて、適宜、設定される。本実施形態の場合、周壁３０２の高さは、全周に亘って同じになるように設定されている。
【００５３】
なお、樹脂プロテクタ３２内には、バスバー３１以外に、各単電池２１の電圧を検知するための複数個の電圧検知端子（不図示）が設けられている。各電圧検知端子は、各バスバー３１上に重ねられており、そして各電圧検知端子には、電圧検知用電線（不図示）が圧着等によってそれぞれ接続されている。なお、これらの電圧検知用電線は、電池ＥＣＵ（不図示）に接続されている。この電池ＥＣＵは、マイクロコンピュータ、素子等が搭載されたものであって、各単電池２１の電圧、電流、温度等の検知や、各単電池２１の放充電制御コントロール等を行うための機能を備えた周知の構成のものである。
【００５４】
樹脂プロテクタ３２の周壁３０２には、突起状の係止部５１が複数個設けられている。この係止部５１は、カバー４を樹脂プロテクタ３２に取り付ける際に利用される。なお、係止部５１に関する詳細な説明は、後述する。
【００５５】
カバー４は、図１に示されるように、上面から見て左右方向に長い矩形状をなしている。カバー４は、工具等がバスバー３１に接触して電池モジュール１が短絡すること等を防止するために、容器状の樹脂プロテクタ３２の口（周壁３０２の上端部分が囲む部分）を覆うように、後述する第１調整手段５を利用して樹脂プロテクタ３２に対して着脱可能に取り付けられる。カバー４は、樹脂プロテクタ３２と同様、絶縁性の合成樹脂材料からなる。カバー４は、板状のカバー本体部４１と、カバー本体部４１の短辺側の端部に設けられる複数個の被係止部５２とを備えている。なお、本明細書において、カバー４を備える電池配線モジュールを、特に、カバー付き電池配線モジュール３０と称する。
【００５６】
図９は、電池モジュール１の側面図であり、図１０は、第１調整手段の拡大図である。図９に示されるように、カバー４は、電池配線モジュール３の樹脂プロテクタ３２に対して、第１調整手段５を利用して取り付けられる。この第１調整手段５は、樹脂プロテクタ３２側に設けられる突起状の係止部５１と、カバー４側に設けられる枠状（環状）の被係止部５２とからなり、カバー付き電池配線モジュール３０の両側面にそれぞれ複数個（４個）設けられている。
【００５７】
ここで、係止部５１及び被係止部５２からなる第１調整手段５について、説明する。係止部５１は、周壁３０２の上端側の外面上において、外側に向かって突出した形をなしている。係止部５１は、案内部５１ａと、この案内部５１ａの下端に設けられる接触部５１ｂとを備える。案内部５１ａは、上側から下側に向かって傾斜しており、カバー４が樹脂プロテクタ３２に取り付けられる際に、被係止部５２を接触部５１ｂまで案内する。接触部５１ｂは、被係止部５２と係合して被係止部５２を上側から押え付ける。
【００５８】
被係止部５２は、全体として、カバー本体部４１の短辺側の端部から下方に向かって延びた枠状をなしている。被係止部５２は、２つの縦枠部５２ａと、これらの縦枠部５２ａの間で挟まれる横枠部５２ｂとを備える。被係止部５２の内側（つまり、縦枠部５２ａ及び横枠部５２ｂで囲まれた部分）には、開口部５２ｃがあり、この開口部５２ｃ内に係止部５１が挿入される。図１０に示されるように、横枠部５２ｂが係止部５１の接触部５１ｂと接触する。被係止部５２の大きさ（開口部５２ｃの大きさ）は、係止部５１と縦枠部５２ａとの間に一定の大きさを有する隙間ｄが形成されるように設定される。そして、被係止部５２は、係止部５１に対して相対的に、樹脂プロテクタ３２の短辺方向（電池モジュール１の前後方向、図１０の左右方向）に移動することができる。
【００５９】
図１１は、図１０のＡ−Ａ’線における第１取付手段５の拡大断面図である。図１１に示されるように、周壁３０２から外側に向かって突出した係止部５１（接触部５１ｂ）の長さ（突出方向における長さ）は、被係止部５２の横枠部５２ｂの幅（図１１の左右方向における幅）よりも長く設定されている。そして、横枠部５２ｂから外側に向かって係止部５１（接触部５１ｂ）がはみ出すと共に、横枠部５２ｂと周壁３０２との間に隙間が存在している。したがって、被係止部５２は、係止部５１に沿って容器３２の長手方向（電池モジュール１の左右方向、図１１の左右方向、係止部５１の突出方向）にもある程度、移動することができる。
【００６０】
なお、本実施形態の場合、カバー４と樹脂プロテクタ３２との間には、上記第１調整手段５の他に、規制手段６が設けられている。この規制手段６は、樹脂プロテクタ３２の短辺側における周壁３０２に設けられる規制凸部６１と、カバー本体部４１の短辺側における端部に設けられると共に規制凸部６１と嵌合する規制凹部６２とからなる。この規制手段６によって、カバー４を樹脂プロテクタ３２に取り付ける際に、カバー４の樹脂プロテクタ３２に対する取付位置が、規制される。
【００６１】
規制凸部６１は、カバー本体部４１における２つの短辺側の端部に、それぞれ１個ずつ設けられている。そして、規制凸部６１は、各短辺側の端部において、それぞれ略中央に設けられている。規制凹部６２は、樹脂プロテクタ３２における２つの短辺側における周壁３０２に、規制凸部６１と嵌合できるようにそれぞれ１個ずつ設けられる、なお、規制凸部６１と規制凹部６２との間には若干の隙間が設けられており、規制凸部６１を備えたカバー４が、樹脂プロテクタ３２の短辺方向に沿って移動できるように、構成されている。
【００６２】
本実施形態の電池モジュール１は、単電池群２に電池配線モジュール３を取り付け、その後、電池配線モジュール３にカバー４を取り付けることによって、組み立てられる。ここで、先ず、単電池群２に電池配線モジュール３を取り付ける工程を説明する。
【００６３】
図４に示されるように左右方向に並べられた２つの単電池群２Ａ．２Ｂの上面上に、図５に示される電池配線モジュール３が載せられる。その際、電池配線モジュール３の各バスバー３１の先端が、各単電池群２Ａ，２Ｂの各電極端子２２上にそれぞれ重ねられる。各バスバー３１は、単電池群２に複数個所ある対極同士の電極端子２２Ａ，２２Ｂ間に、それぞれ架け渡される。そして、バスバー３１の端部に設けられている通し孔３８と、電極端子２２に設けられているネジ孔２３との位置合わせが行われる（図３参照）。この位置合わせを行う際に、電池配線モジュール３は、電極端子２２の取付誤差等に応じて、外観形状が変化する。電池配線モジュール３が変形して、樹脂プロテクタ３２が短辺方向（電池モジュール１の前後方向）に伸長すると、隣り合った一部の係止部５１同士の間隔が広くなる。これに対して、電池配線モジュール３が変形して、樹脂プロテクタ３２が短辺方向（電池モジュール１の前後方向）に収縮すると、隣り合った一部の係止部５１同士の間隔が狭くなる。
【００６４】
上述したように、互いに位置合わせされた通し孔３８とネジ孔２３とには、固定用ボルト（不図示）の軸部が通される。その後、固定用ボルトをネジ孔２３に螺着することによって、バスバー３１が電極端子２２に密着した状態で固定される。全てのバスバー３１を、上述したように固定用ボルトを利用して電極端子２２に固定することによって、単電池群２をなす単電池２１同士が互いに直列接続されると共に、電池配線モジュール３自身が単電池群２に取り付けられる。
【００６５】
次いで、電池配線モジュール３にカバー４を取り付ける工程を説明する。カバー４は、先ず、単電池群２に取り付けられた電池配線モジュール３を覆うように、電池配線モジュール３の上方に配される。そして、カバー本体部４１が備えている規制凹部６２が、電池配線モジュール３の容器３２に設けられている規制凸部６１に嵌合するように、カバー４が、樹脂プロテクタ３２に対して近付けられる。
【００６６】
カバー４が、上記のようにして樹脂プロテクタ３２に近付けられると、カバー本体部４１が備える各被係止部５２の位置が、樹脂プロテクタ３２が備える各係止部５１の位置にそれぞれ合せられる。被係止部５２は、その横枠部５２ｂが係止部５１の案内部５１ａ上に沿って移動しながら、下方へ移動する。被係止部５２は、案内部５１ａ上を沿って下方へ移動する際、外側に向かって若干、拡がった状態となる。そして、被係止部５２の横枠部５２ｂが、係止部５１の案内部５１ａ及び接触部５１ｂを通り過ぎると、被係止部５２は弾性的に形が復元し、係止部５１が被係止部５２の開口部５２ｃ内に入り込んだ状態となる。係止部５１が開口部５２ｃ内に入り込むと、係止部５１の接触部５１ｂが、被係止部５２の横枠部５２ｂと係合した状態となる。つまり、枠状の被係止部５２は、突起状の係止部５１に対して引っ掛けられた状態となる。
【００６７】
なお、係止部５１が被係止部５２と係合した状態では、係止部５１の接触部５１ｂ側の部分が、被係止部５２の開口部５２ｃよりも外側にはみ出した形となっており、カバー４が上方に移動して外れることが抑制されている。このようにして、各係止部５１と各被係止部５２とを、それぞれ互いに係合させることによって、カバー４が電池配線モジュール３に取り付けられる。
【００６８】
ところで、被係止部５２の開口部５２ｃは、係止部５１と比べて充分大きく設定されており、上述したように係止部５１と被係止部５２との間には隙間ｄが形成されている（図１０参照）。そのため、被係止部５２は、係止部５１と係合した状態で、前後方向（樹脂プロテクタ３２の短辺方向）にある程度、動かすことができる。つまり、電池配線モジュール３の樹脂プロテクタ３２の形状がその短辺方向に変化して、隣り合った係止部５１同士の間隔が変化しても、被係止部５２は、樹脂プロテクタ３２の短辺方向（樹脂プロテクタ３２の変位方向）に沿って係止部５１に対して相対的に移動しつつ係合することができる。つまり、第１調整手段５は、変形によって生じる樹脂プロテクタ３２の寸法誤差（樹脂プロテクタ３２の短辺方向における寸法誤差）を吸収できる。したがって、本実施形態のカバー４は、樹脂プロテクタ３２の形状がその短辺方向に変化しても、樹脂プロテクタ３２に確実に取り付けられる。
【００６９】
また、図１１に示されるように、被係止部５２は、ある程度、係止部５１の突出方向（樹脂プロテクタ３２の長辺方向）にも移動できるように構成されている。そのため、電池配線モジュール３の樹脂プロテクタ３２の形状がその長辺方向に変化しても、上述したような被係止部５２を備えるカバー４は、樹脂プロテクタ３２に確実に取り付けられる。
【００７０】
また、カバー４が、電池配線モジュール３に取り付けられた後に、単電池群２をなす各単電池２１が膨張等して変形し、更に樹脂プロテクタ３２が変形した場合であっても、カバー４は、第１調整手段によって取付位置が調整されるため、樹脂プロテクタ３２から外れることが抑制される。
【００７１】
＜実施形態２＞
次いで、本発明の実施形態２を、図１２ないし図１６を参照しつつ説明する。図１２は、実施形態２に係る電池モジュール１Ａの平面図であり、図１３は、電池モジュール１Ａの正面図である。本実施形態の電池モジュール１Ａは、実施形態１のものと異なった構成のカバー４Ａを備えている。本実施形態のカバー４は、２つのサブカバー４２Ａ，４３Ａからなる。したがって、本実施形態では、主として、カバー４Ａについて詳細に説明する。なお、以下の各実施形態では、実施形態１と同一の構成については、同一の符号を付し説明を省略する。
【００７２】
カバー４Ａは、上述したように、２つのサブカバー４２Ａ，４３Ａからなる。一方のサブカバー４２Ａは、第１単電池群２Ａ側に配されており、他方のサブカバー４３Ａは、第２単電池群２Ｂ側に配されている。サブカバー４２Ａの端部とサブカバー４３Ａの端部とは、互いに重なり合っており、その重なり合った部分に、４個の第２調整手段７が設けられている。サブカバー４２Ａ．４３Ａ同士は、これらの第２調整手段７を介して互いに連結されている。なお、図１２に示されるように、サブカバー４２Ａの端部が、サブカバー４３Ａの端部よりも上側に配されるように、サブカバー４２Ａ，４３Ａ同士が連結されている。
【００７３】
図１４は、サブカバー４２Ａ，４３Ａの平面図である。図１４に示されるように、カバー４Ａは、２つのサブカバー４２Ａ，４３Ａに分解される。これらのサブカバー４２Ａ，４２Ａは、何れも横長の矩形状をなしており、略同じ大きさである。一方のサブカバー４２Ａは、サブカバー本体部１４２Ａと、係合部７１と、被係止部５２と、規制凹部６２と、ヒンジ部４４とを備えている。
【００７４】
サブカバー本体部１４２Ａは、矩形状をなした板状の部材からなる。サブカバー本体部１４２Ａの一方の短辺側における端部には、４個の係合部７１が設けられている。係合部７１は、突起状であり、サブカバー本体部１４２Ａから下方に向かって突出した形をなしている。これらの係合部７１は、サブカバー本体部１４２Ａの端部において、互いに間隔を置いて一列に並ぶように設けられている。また、サブカバー本体部１４２Ａの他方の短辺側における端部には、４個の被係止部５２と、１個の規制凹部６２とがそれぞれ設けられている。そして、係合部７１が設けられている短辺側の端部から内側に入ったサブカバー本体部１４２Ａの部分に、折れ曲がり可能なヒンジ部４４が設けられている。このヒンジ部４４によって、サブカバー４２Ａの端部が、他方のサブカバー４３Ａの端部上に乗り上がり易くなっている。
【００７５】
これに対して、他方のサブカバー４３Ａは、サブカバー本体部１４３Ａと、被係合部７２と、被係止部５２と、規制凹部６２とを備えている。サブカバー本体部１４３Ａは、矩形状をなした板状の部材からなる。サブカバー本体部１４３Ａの一方の短辺側における端部には、前記係合部７１と係合できるように４個の被係合部７２が設けられている。被係合部７２は、サブカバー本体部１４３Ａの端部が矩形状に切り抜かれた形をなしている。この被係合部７２に、サブカバー４２Ａの係合部７１が挿入される。また、サブカバー本体部１４３Ａの他方の短辺側における端部には、４個の被係止部５２と、１個の規制凹部とがそれぞれ設けられている。
【００７６】
図１５は、図１２のＢ−Ｂ’線における第２調整手段７の拡大断面図であり、図１６は、図１２のＣ−Ｃ’線における第２調整手段７の拡大断面図である。図１５及び図１６に示されるように、サブカバー４２Ａが備える突起状の係合部７１は、サブカバー４３Ａが備える孔状の被係合部７２に対して挿入された状態で係合する。係合部７１は、サブカバー本体部１４２Ａから下方に向かって延びた胴体部７１ａと、この胴体部７１ａの先端に設けられる先端部７１ｂとを有する。これに対して、被係合部７２は、矩形状の被係合孔７２ａと、この被係合孔７２ａの周りを囲む被係合枠７２ｂとを有する。
【００７７】
係合部７１の胴体部７１ａは、図１６に示されるように、２枚の板が互いに間隔を保った状態でサブカバー本体部１４２Ａの下面に下方に向かって立設されたような形をなしている。サブカバー４２Ａの短辺方向（図１６における左右方向）における胴体部７１ａの幅は、前記短辺方向における被係合孔７２ａの大きさ（内径）よりも若干、小さく設定されている。また、図１５に示されるように、サブカバー４２Ａの長辺方向（図１５における左右方向）における胴体部７１ａの幅よりも、前記長辺方向における被係合孔７２ａの大きさ（内径）は、胴体部７１ａが被係合孔７２ａ内を前記長辺方向に沿って移動できるように、ある程度、大きく設定されている。なお、係合部７１の根元部分には、先端部分７１ｂ等の成型の都合上、溝４５が設けられている。
【００７８】
先端部７１ｂは、胴体部７１ａをなす上述した２枚の壁状部分の先端に、それぞれ外側に向けて張り出した形で設けられている。先端部７１ｂの前記短辺方向における幅は、胴体部７１ａの幅よりも大きく設定されていると共に、被係合孔７２ａの大きさ（内径）よりも大きく設定されている。そのため、被係合孔７２ａ内に挿入された係合部７１が浮上しようとすると、先端部７１ｂが被係合枠７２ｂに引っ掛かるため、係合部７１が被係合部７２から不用意に引き抜かれることが抑制されている。
【００７９】
なお、係合部７１を、被係合部７２の被係合孔７２ａ内に挿入する際、係合部７１は、被係合部７２の上方から押し込まれる。係合部７１が被係合孔７２ａ内に押し込まれる際、係合部７１は弾性変形して、先端部７１ｂの幅が被係合孔７２ａの大きさ（内径）よりも一旦、小さくなる。そして、先端部７１ｂが被係合枠７２ｂで囲まれた被係合孔７２ａを通過すると、係合部７１は大きくなって復元する。
【００８０】
第２調整手段７は、サブカバー４２Ａ，４３同士の位置を、互いに近付くように、又は互いに離れるように調整できる。つまり、第２調整手段７は、変形によって生じる樹脂プロテクタ３２の寸法誤差（樹脂プロテクタ３２の長辺方向における寸法誤差）を吸収できる。そのため、樹脂プロテクタ３２の形状に応じて、サブカバー４２Ａ，４３同士の取付位置を、適宜、調整することができる。なお、図１０に示されるように、第１調整手段５の係止部５１は、その突出方向において、ある程度の長さを有しているため、サブカバー４２Ａ，４３Ａ同士の位置が、第１調整手段５によって妨げられることなく、互いに近付くように、又は互いに離れるように調整できる。
【００８１】
したがって、本実施形態のカバー４Ａは、電池配線モジュール３が備える樹脂プロテクタ３２が、その長辺方向（長手方向）に伸長し又は収縮して、その形状が変化しても、上述したような第２調整手段７を備えることによって、前記樹脂プロテクタ３２に確実に取り付けることができる。
【００８２】
なお、本実施形態の場合、第２調整手段７は、樹脂プロテクタ３２の長辺方向に沿って変位する。これに対して、第１調整手段５は、樹脂プロテクタ３２の短辺方向に沿って変位する。このように、第２調整手段７の変位方向と、第１調整手段５の変位方向とを、互いに直交するように設定してもよい。本実施形態の電池配線モジュール３は、その長辺方向とその短辺方向とにそれぞれ伸縮変形する。そのため、このように互いに直交するように第２調整手段７及び第１調整手段５の変位方向を設定することによって、適宜、形状が変化し得る樹脂プロテクタ３２に対して、カバー４Ａを確実に取り付けることができる。
【００８３】
また、本実施形態の場合、第２調整手段７の方が第１調整手段５よりも、対応できる樹脂プロテクタ３２の変形量（変位量）が大きく設定されている。そのため、本実施形態のカバー４Ａは、樹脂プロテクタ３２の伸縮量（変形量）が、短辺方向よりも長辺方向の方が大きい場合、特に有効である。なお、本実施形態の場合も、カバー４Ａを備えた電池配線モジュール３のことを、カバー付き電池配線モジュール３０Ａと称する。
【００８４】
カバー４Ａを電池配線モジュール３に取り付ける際、予めサブカバー４２Ａ，４３Ａ同士を繋ぎ合せてから、その後、１つのカバー４Ａとして、電池配線モジュール３に取り付けてもよい。或いは、電池配線モジュール３にそれぞれサブカバー４２Ａ，４３Ａを取り付けながら、サブカバー４２Ａ，４３Ａ同士も電池配線モジュール３上で繋ぎ合せてもよい。
【００８５】
＜実施形態３＞
次いで、本発明の実施形態３を、図１７及び図１８を参照しつつ説明する。図１７は、実施形態３に係る電池モジュール１Ｂの平面図であり、図１８は、図１７のＤ−Ｄ’線における第２調整手段７の拡大断面図である。本実施形態の電池モジュール１Ｂは、実施形態２と同様、２つのサブカバー４２Ｂ，４２Ｂから構成されるカバー４Ｂを備える。ただし、本実施形態のカバー４Ｂは、実施形態２の場合とは異なって、１種類のサブカバー４２Ｂのみを利用している。
【００８６】
図１７に示されるように、カバー４Ｂは、互いに同じ形状のサブカバー４２Ｂ，４２Ｂ同士が組み合わされたものからなる。サブカバー４２Ｂは、サブカバー本体部１４２Ｂと、係合部７１と、被係合部７２と、被係止部５２と、規制凹部６２と、ヒンジ部４４とを備えている。
【００８７】
サブカバー本体部１４２Ｂは、矩形状をなした板状部材からなる。サブカバー本体部１４２Ｂの一方の短辺側における端部には、４個の係合部７１が設けられている。また、係合部７１よりも内側にあるサブカバー本体部１４２Ｂの部分に、４個の被係合部７２が設けられている。また、サブカバー本体部１４２Ｂの他方の短辺側における端部には、４個の被係止部５２と、１個の規制凹部６２とがそれぞれ設けられている。そして、係合部７１及び被係合部７２が設けられている短辺側の端部から内側に入ったサブカバー本体部１４２Ｂの部分に、折れ曲がり可能なヒンジ部４４が設けられている。このヒンジ部４４によって、サブカバー４２Ｂの端部が、他方のサブカバー４２Ｂの端部上に乗り上がり易くなっている。
【００８８】
図１７及び図１８に示されるように、本実施形態の場合、各図において左側に示されているサブカバー４２Ｂの端部が、右側に示されているサブカバー４２Ｂの端部の上側になった状態で、サブカバー４２Ｂ，４２Ｂ同士が第２調整手段７によって連結されている。図１７に示されるように、第２調整手段７は、左側のサブカバー４２Ｂが備える係合部７１と、右側のサブカバー４２Ｂが備える被係合部７２とからなる。なお、本実施形態の場合、左側のサブカバー４２Ｂが備える被係合部７２と、右側のサブカバー４２Ｂが備える係合部７１は、サブカバー４２Ｂ，４２Ｂ同士の連結に利用されていない。
【００８９】
このように同じ形状のサブカバー４２Ｂ，４２Ｂ同士を組み合せたものを、電池配線モジュール３を覆うカバー４Ｂとして利用してもよい。本実施形態のように、１種類のサブカバー４２Ｂのみでカバー４Ｂを構成することができれば、サブカバー４２Ｂ，４２Ｂ同士を繋ぎ合せる際に、サブカバー４２Ｂ，４２Ｂ同士の組み合せを考慮する必要がない。つまり、何れのサブカバー４２Ｂ，４２Ｂ同士が選択されても、互いに繋ぎ合せることができるため、カバー４Ｂの組み立て作業の効率が向上する。また、本実施形態の場合、カバー４Ｂ（サブカバー４２Ｂ）を製造する金型が１種類のみで良いため、カバー４Ｂ（サブカバー４２Ｂ）の製造コストを抑えることもできる。
【００９０】
なお、本実施形態の場合も、カバー４Ｂを備えた電池配線モジュール３をカバー付き電池配線モジュール３０Ｂと称する。他の実施形態においては、図１７及び図１８に示される右側のサブカバー４２Ｂの端部が、左側のサブバカー４２Ｂの端部の上側になった状態で、サブカバー４２Ｂ，４２Ｂ同士が第２調整手段７によって連結されてもよい。この場合、右側のサブカバー４２Ｂが備える係合部７１と、左側のサブカバー４３Ｂの被係合部７２とが互いに係合して、第２調整手段を構成する。
【００９１】
＜他の実施形態＞
本発明は上記記述及び図面によって説明した実施形態に限定されるものではなく、例えば次のような実施形態も本発明の技術的範囲に含まれる。
（１）上記実施形態１では、第１調整手段５として、電池配線モジュール３に係止部５１を設け、カバー４に被係止部５２を設けていたが、他の実施形態においては反対に、電池配線モジュール３に被係止部５２を設け、カバー４に係止部５１を設けてもよい。
【００９２】
（２）上記実施形態１では、複数のバスバー収容部３３を備えると共に、各バスバー３１の長手方向に沿って伸縮変形可能な樹脂プロテクタ３２を利用していたが、他の実施形態においては、他の構成によって伸縮変形可能な樹脂プロテクタを利用してもよい。このような樹脂プロテクタに対しても、第１調整手段５を介してカバー４を取り付けてもよい。
【００９３】
（３）上記実施形態２では、第２調整手段７は、突起状の係合部７１と、この係合部７１と係合する孔状の被係合部７２とを備えるものであったが、他の実施形態においては、他の係合部と、この他の係合部と係合する他の被係合部とを備えるものであってもよい。
【００９４】
（４）上記実施形態２では、カバー４Ａが、２枚のサブカバー４２Ａ，４３Ａから構成されていたが、他の実施形態においては、例えば、３枚以上のサブカバーを組み合せたものを、１つのカバーとして利用してもよい。
【００９５】
（５）上記実施形態２では、第２調整手段７における係合部７１は、被係合部７２からの離脱（引き抜き）を抑制するために、被係合部７２の被係合孔７２ａよりも大きな先端部７１ｂを備えていた。他の実施形態においては、少なくともサブカバー４２Ａ，４３同士の取付位置が、樹脂プロテクタ３２の変形に応じて、調整できるものであれば、前記先端部７１ｂを係合部７１に設ける必要はない。
【００９６】
（６）上記実施形態２では、カバー４Ａの取付位置は、樹脂プロテクタ３２の長辺方向に沿って調整可能であったが、他の実施形態においては、例えば、樹脂プロテクタ３２の短辺方向に沿ってカバー４Ａの取付位置が調整される構成であってもよい。具体的には、１枚のカバーを、長辺方向に沿って２等分して得られるような形状のサブカバーを２つ用意し、これらのサブカバーの間に、第２調整手段を設ければよい。
【符号の説明】
【００９７】
１，１Ａ，１Ｂ…電池モジュール、２…単電池群、２Ａ…第１単電池群、２Ｂ…第２単電池群、２１…単電池、２２…電極端子、２３…ネジ孔、２２Ａ…正極、２２Ｂ…負極、３…電池配線モジュール、３０，３０Ａ，３０Ｂ…カバー付き電池配線モジュール、３１…バスバー、３１Ａ…第１バスバー、３１Ｂ…第２バスバー、３２…樹脂プロテクタ、３２Ａ，３２Ｂ，３２Ｃ，３２Ｄ…連結ユニット、３３…バスバー収容部、３８…通し孔、３９…切り欠き部、３０２…樹脂プロテクタの周壁、４，４Ａ，４Ｂ…カバー、４１…カバー本体部、４Ａ，４Ｂ…サブカバー、５…第１調整手段、５１…係止部、５２…被係止部、６…規制手段、７…第２調整手段、７１…係合部、７２…被係合部
【図１】
0005668639.tif 000002
【図２】
0005668639.tif 000003
【図３】
0005668639.tif 000004
【図４】
0005668639.tif 000005
【図５】
0005668639.tif 000006
【図６】
0005668639.tif 000007
【図７】
0005668639.tif 000008
【図８】
0005668639.tif 000009
【図９】
0005668639.tif 000010
【図１０】
0005668639.tif 000011
【図１１】
0005668639.tif 000012
【図１２】
0005668639.tif 000013
【図１３】
0005668639.tif 000014
【図１４】
0005668639.tif 000015
【図１５】
0005668639.tif 000016
【図１６】
0005668639.tif 000017
【図１７】
0005668639.tif 000018
【図１８】
0005668639.tif 000019